(57)【要約】【課題】  携帯端末装置の表示部において、メール内容やＷＥＢサイト閲覧内容の背景として、カメラ撮像画像を合成表示する場合に、表示内容の判読を容易として、ユーザが移動しつつ表示内容を確認している最中でも、障害物を回避可能とする。【解決手段】  制御部３において、メール内容やＥＥＢサイト閲覧内容の表示色と、撮像部７（表示部６の背面に設けられている）による撮像画像の表示色とで、ほぼ同じ色合いが存在すると判定された場合に、一方の表示色を調整する。これにより、メール内容やＥＥＢサイト閲覧内容が、背景の撮像画像に埋もれることを防止して表示内容を見易くする。これにより、メール内容やＥＥＢサイト閲覧内容の確認と、障害物の確認とが同時にできるので、ユーザは安心して移動可能となる。【選択図】      図１
2006343888.tif 000002
【特許請求の範囲】
【請求項１】
表示部と、この表示部の背面に設けられた撮像部とを含み、前記撮像部による撮像画像を、前記表示部の表示内容に対する背景画像として合成表示するようにした携帯端末装置であって、
前記背景画像に、前記表示内容の表示色とほぼ同色の部分が存在する場合に、少なくとも一方の表示色を調整して表示する制御部を含むことを特徴とする携帯端末装置。
【請求項２】
前記制御部は、前記表示色が黒の場合、前記背景画像をより白色に近付けるよう調整することを特徴とする請求項１記載の携帯端末装置。
【請求項３】
前記制御部は、前記表示色が白の場合、前記背景画像をより黒色に近付けるよう調整することを特徴とする請求項１記載の携帯端末装置。
【請求項４】
表示部と、この表示部の背面に設けられた撮像部とを含み、前記撮像部による撮像画像を、前記表示部の表示内容に対する背景画像として合成表示するようにした携帯端末装置の表示制御方法であって、
前記背景画像に、前記表示内容の表示色とほぼ同色の部分が存在する場合に、少なくとも一方の表示色を調整して表示するステップを含むことを特徴とする表示制御方法。
【請求項５】
前記表示色が黒の場合、前記背景画像をより白色に近付けるよう調整することを特徴とする請求項４記載の表示制御方法。
【請求項６】
前記表示色が白の場合、前記背景画像をより黒色に近付けるよう調整することを特徴とする請求項４記載の表示制御方法。
【請求項７】
表示部と、この表示部の背面に設けられた撮像部とを含み、前記撮像部による撮像画像を、前記表示部の表示内容に対する背景画像として合成表示するようにした携帯端末装置の表示制御方法をコンピュータに実行させめためのプログラムであって、
前記背景画像に、前記表示内容の表示色とほぼ同色の部分が存在する場合に、少なくとも一方の表示色を調整して表示する処理を含むことを特徴とするプログラム。
【発明の詳細な説明】
【技術分野】
【０００１】
本発明は、携帯端末装置及びその表示制御方法並びにプログラムに関し、特に表示部の背面に設けられた撮像部による撮像画像を、当該表示部の表示内容に対する背景画像として合成表示するようにした携帯端末装置の表示方式の改良に関するものである。
【背景技術】
【０００２】
携帯電話機やＰＨＳ（Personal Handyphone System）、ＰＤＡ（Personal Data Assistance, Personal Digital Assistants ）などの携帯端末装置においては、多機能化が進み、通常の音声送受信機能はもとより、電子メール（以下、単にメールと称す）機能や、ＷＥＢサイト閲覧機能などが搭載されており、更には、ＣＣＤなどのカメラを用いた撮像機能も搭載されるようになっている。
【０００３】
電子メールの内容やＷＥＢサイトの閲覧情報と、カメラにより撮像された画像情報とは、それぞれ排他的に表示部に表示されるのが一般的であって、同時に表示されることはないために、ユーザがメール内容やＷＥＢサイト情報を閲覧しつつ移動する場合に、前方へも注意を払う必要があるので、表示部から一旦目を離すことになる。すなわち、ユーザは表示部と前方の景色とを交互に確認しながら移動することになる。このことは、表示部から一度目を離して前方を確認し、再度表示部に目を戻したとき、直前までに読んでいた箇所を、表示部の画面上で探し直す必要が生じて、極めて不便になることを意味する。
【０００４】
そこで、特許文献１を参照すると、ユーザが携帯端末装置の操作部を操作する操作状態と、撮像部により撮像した画像とを同時に表示部に表示するように構成することにより、操作部の操作中に、撮像部を同時に起動して、ユーザが歩行している前方を画面表示して、メールなどの確認を行いつつ移動する場合に、表示部から目を離すことなく、障害物との衝突を防止できるようにした技術が開示されている。
【０００５】
図７を参照してより詳述すると、先ず、ユーザが携帯端末装置の操作部からの操作により、例えばメールの内容を入力するために、所定のキー操作でメールアプリケーションを起動させると（ステップＳ１）、図示せぬ制御部は、操作部の入力を監視して、表示部の背景表示モードが指示されたかどうか判定する（ステップＳ２）。背景表示モードが指示されていれば、撮像部を起動して（ステップＳ３）、このときの撮像画像を、現在処理中のメールアプリケーションのテキスト表示の背景として、合成表示を行うのである（ステップＳ４）。
【０００６】
なお、ステップＳ２において、背景表示モードがオンでなければ、通常のメールアプリケーションが動作して、撮像部の起動はなされない（ステップＳ５）。
【０００７】
その後、メールアプリケーションの終了が検出されるまで、以上の処理が行われ、メールアプリケーションの終了が検出されると（ステップＳ６）、メールアプリケーションの終了となる。
【０００８】
図８はこの背景表示モード時における表示部の表示例を示すものであり、テキスト表示の背景に、撮像部による画像が合成表示されている。この撮像部のカメラを、表示部の背面に設けておけば、メールなどによるテキスト情報に対して、ユーザの前方（移動方向）の景色が背景画像として表示されるので、ユーザはメールなどの確認を行いつつ移動しても、表示部から目を離す必要もなく、障害物を回避することができるのである。
【特許文献１】特開２００４−３０４２９７号公報
【発明の開示】
【発明が解決しようとする課題】
【０００９】
この様に、表示部にメールの内容やＷＥＢサイトの閲覧内容と、カメラによる撮像画像とを合成表示する場合、互いの色合いが近いような場合には、メールやＷＥＢサイトの内容であるテキストと撮像画像との判別が困難な場合がある。例えば、図３に示すように、テキストの表示色が黒の場合に、背景となる撮像画像の中にテキストと同色の黒色の表示部分が存在するときには、両者が重なったテキスト部分は、非常に読みにくく判読できないことがある。
【００１０】
また、図５に示すように、テキストの表示色が白の場合に、背景となる撮像画像の中にテキストと同色の白色の部分が存在するときにも、両者が重なったテキスト部分は、やはり判読困難になる。
【００１１】
この様に、メールの内容やＷＥＢサイト閲覧内容が判読困難になると、ユーザは内容の判読に気を取られて、背景画像に対する注意がおろそかになり、結果的には、障害物に対する回避が困難となって、危険を招来するという問題がある。
【００１２】
本発明の目的は、メールの表示内容やＷＥＢサイト閲覧の表示内容の背景にカメラ撮像画像を合成表示するに際して、これら表示内容の判読を容易として、ユーザがこれら表示内容を見ながら移動しても、障害物の回避が確実にできるようにした携帯端末装置及びその表示制御方法並びにプログラムを提供することである。
【課題を解決するための手段】
【００１３】
本発明による携帯端末装置は、表示部と、この表示部の背面に設けられた撮像部とを含み、前記撮像部による撮像画像を、前記表示部の表示内容に対する背景画像として合成表示するようにした携帯端末装置であって、前記背景画像に、前記表示内容の表示色とほぼ同色の部分が存在する場合に、少なくとも一方の表示色を調整して表示する制御部を含むことを特徴とする。
【００１４】
本発明による表示制御方法は、表示部と、この表示部の背面に設けられた撮像部とを含み、前記撮像部による撮像画像を、前記表示部の表示内容に対する背景画像として合成表示するようにした携帯端末装置の表示制御方法であって、前記背景画像に、前記表示内容の表示色とほぼ同色の部分が存在する場合に、少なくとも一方の表示色を調整して表示するステップを含むことを特徴とする。
【００１５】
本発明によるプログラムは、表示部と、この表示部の背面に設けられた撮像部とを含み、前記撮像部による撮像画像を、前記表示部の表示内容に対する背景画像として合成表示するようにした携帯端末装置の表示制御方法をコンピュータに実行させめためのプログラムであって、前記背景画像に、前記表示内容の表示色とほぼ同色の部分が存在する場合に、少なくとも一方の表示色を調整して表示する処理を含むことを特徴とする。
【００１６】
本発明の作用を述べる。メール内容やＥＥＢサイト閲覧内容の表示色と、撮像部（表示部の背面に設けられている）による撮像画像の表示色とで、ほぼ同じ色合いが存在する場合に、一方の表示色を調整する。これにより、メール内容やＥＥＢサイト閲覧内容が、背景の撮像画像に埋もれることを防止して表示内容を見易くする。これにより、メール内容やＥＥＢサイト閲覧内容の確認及び障害物の確認ができるので、ユーザは安心して移動可能となる。
【発明の効果】
【００１７】
本発明によれば、メール内容やＷＥＢサイトの閲覧内容と、カメラによる撮像画像である背景画像とがほぼ同じ色合いの場合に、一方の表示色を変化させて、メール内容やＷＥＢサイト閲覧内容を見易くするようにしたので、表示部の表示内容を確認しながらユーザが移動しても、障害物の認識及び表示内容の認識が同時にできることになり、ユーザの移動も安全にできるという効果がある。
【発明を実施するための最良の形態】
【００１８】
以下に、本発明の実施の形態について図面を参照しつつ詳細に説明する。図１は本発明の実施の形態の概略機能ブロック図である。図１を参照すると、送受信部２はアンテナ１を介して公衆移動通信網（図示せず）に対して音声やパケットなどのデータ通信をなす機能部である。操作部５は種々の操作キーを有し、ユーザによる操作が可能な機能部である。表示部６はユーザの操作に応じた各種操作状況の表示や、撮像部７による撮像画像の表示をなす機能部である。撮像部７はＣＣＤなどのカメラを有し、本例においては、表示部６の背面部分に設けられており、ユーザが表示部６を目視している状態では、ユーザの前方（移動方向でもある）を撮影することが可能になっている。
【００１９】
制御部３は各部の動作制御を行う機能部であって、ＣＰＵ（コンピュータ）からなり、メモリ部４に格納されているプログラム手順に従って動作して各部の制御を実行する。なお、メモリ部４はＣＰＵ３のプログラムを格納したＲＯＭの他に、ＣＰＵ３の作業用メモリであるＲＡＭをも有し、また、ユーザによる各種登録内容を記憶する機能も有している。
【００２０】
送受信部２はアンテナ１からの電波を介してインターネットのＷＥＢサイトやメールなどの内容であるテキストやアイコンなど、文字単位の情報を取得する。この取得された情報は制御部３へ送られる。また、背面カメラである撮像部７により取得された映像もまた制御部３へ送出される。制御部３は、送受信部２からのテキストやアイコンなどの文字単位の情報と、撮像部７からの映像とを合成する機能を有しており、この合成の際には、撮像部７からの映像を背景画面とし、その上に送受信部２からのテキストやアイコンなどの文字単位の情報を描画して同時表示するようになっている。こうして合成された映像は、表示部６へ送られてユーザに対して可視表示されることになる。
【００２１】
こうすることにより、ユーザは表示部６を通して、ユーザの前方の景色を確認することができるが、先述したように、図３や図５に示した如く、テキストやアイコンなどの情報と撮像画像とを表示部に単純に合成表示すると、互いの色合いが近い場合には、テキストやアイコンなどの内容を判読することが困難となる。
【００２２】
そこで、本発明では、表示部における合成表示に際して制御部３は以下のように動作する。図２は本発明の実施の形態の動作を示すフローチャートであり、制御部３の動作フローであり、図３において図７と同等部分は同一符号により示している。
【００２３】
図２を参照すると、先ずユーザが携帯端末装置の操作部５からの操作により、例えばメールの内容を入力するために、所定のキー操作でメールアプリケーションを起動させると（ステップＳ１）、表示部６の背景表示モードが指示されたかどうかの判定が行われる（ステップＳ２）。背景表示モードが指示されていれば、撮像部７が起動され（ステップＳ３）、このときの撮像画像を、現在処理中のメールアプリケーションのテキスト表示の背景として、合成表示されるのであるが、この場合に、図３や図５に示す如く、撮像画像とテキストとが同色かどうかが判定される（ステップＳ８）。
【００２４】
例えば、図３に示すように、テキスト表示が黒色で、撮像画像にも黒色がある場合には、一方の表示色が調整されて合成表示される。図３の例では、背景となる撮像画像に黒色の部分があるので、この背景画像を白色に近づけるように色調整が行われてテキストと合成表示されることになる（ステップＳ９）。この場合の表示例が図４に示されている。
【００２５】
また、図５に示すように、テキスト表示が白色で、背景画像にも白色の部分が存在する場合には、背景画像を黒色に近付けるように色調整が行われてテキストと合成表示されることになる。この場合の表示例が図６に示されている。なお、ステップＳ８において、両者に同一色が存在しなければ、両者がそのまま合成表示される（ステップＳ１０）。ステップＳ５，Ｓ６については、図７の例と同じである。
【００２６】
上記の例では、背景画像の表示色を調整しているが、テキスト表示色を見易くなるように調整しても良く、また、白黒表示に限らず、カラー表示についても同様に適用可能である。更には、一方の表示色のみを調整する以外に、両方の表示色の調整を行うようにすることも考えられる。また、携帯端末装置としては、携帯電話機やＰＨＳ，ＰＤＡなどが掲げられる。
【００２７】
図２に示した動作フローは、予めその動作手順をプログラムとしてＲＯＭなどの記録媒体に記録しておき、これをコンピュータであるＣＰＵ３により読み取らせて実行するように構成できることは明らかである。
【図面の簡単な説明】
【００２８】
【図１】本発明の実施の形態のブロック図である。
【図２】本発明の実施の形態の動作を示すフローチャートである。
【図３】黒色のテキスト表示に、背景画像に黒色部分が存在する場合の表示部の表示例を示す図である。
【図４】図３の表示例において背景画像の表示色を本発明の実施の形態に基づいて調整した場合の例を示す図である。
【図５】白色のテキスト表示に、背景画像に白色部分が存在する場合の表示部の表示例を示す図である。
【図６】図５の表示例において背景画像の表示色を本発明の実施の形態に基づいて調整した場合の例を示す図である。
【図７】従来技術の動作を示すフローチャートである。
【図８】従来技術の表示部における表示例を示す図である。
【符号の説明】
【００２９】
１  アンテナ
２  送受信部
３  制御部（ＣＰＵ）
４  メモリ部
５  操作部
６  表示部
７  撮像部（背面カメラ）
【図１】
2006343888.tif 000003
【図２】
2006343888.tif 000004
【図３】
2006343888.tif 000005
【図４】
2006343888.tif 000006
【図５】
2006343888.tif 000007
【図６】
2006343888.tif 000008
【図７】
2006343888.tif 000009
【図８】
2006343888.tif 000010